【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
シートが積載される積載部材を昇降させる昇降手段と、
前記昇降手段により上昇された前記積載部材に積載された最上位のシートが給送位置にあるかどうかを検知する第一の検知手段と、
給送ローラを前記最上位のシートに圧接させ、前記給送ローラにより前記最上位のシートを給送する給送手段と、
前記給送ローラが前記最上位のシートを給送可能な位置にあるかどうかを検知する第二の検知手段と、
前記昇降手段を制御する制御手段と、を有するシート給送装置において、
前記昇降手段が前記積載部材を上昇させ、前記第一の検知手段により前記最上位のシートが前記給送位置にあることが検知された後で、前記給送手段が前記給送ローラを前記最上位のシートに圧接させ、
前記第二の検知手段により前記給送ローラが前記最上位のシートを給送可能な位置にある状態からない状態へと変化したことが検知され、前記第一の検知手段により前記最上位のシートが前記給送位置にある状態からない状態へと変化したことが検知された場合、前記制御手段は、前記第二の検知手段の検知結果が変化したタイミングから前記第一の検知手段の検知結果が変化したタイミングまでの時間に基づいて補正量を決定し、決定した前記補正量の分だけ前記昇降手段を制御して、前記積載部材を上昇させることを特徴とするシート給送装置。
【請求項２】
前記第二の検知手段により前記給送ローラが前記最上位のシートを給送可能な位置にある状態からない状態へと変化したことが検知され、前記第一の検知手段により前記最上位のシートが前記給送位置にある状態からない状態へと変化したことが検知されない場合、前記制御手段は、前記時間に基づいて決定される補正量よりも小さい補正量の分だけ前記昇降手段を制御して、前記積載部材を上昇させることを特徴とする請求項１に記載のシート給送装置。
【請求項３】
前記第二の検知手段により前記給送ローラが前記最上位のシートを給送可能な位置にある状態からない状態へと変化したことが検知されず、前記第一の検知手段により前記最上位のシートが前記給送位置にある状態からない状態へと変化したことが検知されない場合、前記制御手段は、前記昇降手段を制御することなく、前記給送手段は前記給送ローラによって前記最上位のシートを給送することを特徴とする請求項１または２に記載のシート給送装置。
【請求項４】
前記制御手段は、前記第二の検知手段の検知結果が変化したタイミングから前記第一の検知手段の検知結果が変化したタイミングまでの前記時間が長い場合は、前記時間が短い場合に比べて前記補正量を大きくすることを特徴とする請求項１乃至３のいずれか１項に記載のシート給送装置。
【請求項５】
前記給送手段は、１枚のシートを給送する毎に、前記給送ローラの前記最上位のシートへの当接及び離間を行うことを特徴とする請求項１乃至４のいずれか１項に記載のシート給送装置。
【請求項６】
前記給送ローラが前記最上位のシートに圧接することにより、前記積載部材に積載されたシートのカール状態が補正されることを特徴とする請求項１乃至５のいずれか１項に記載のシート給送装置。
【請求項７】
前記制御手段は、決定した前記補正量の分だけ前記昇降手段を制御して、前記積載部材を前記給送位置よりも高い位置へ上昇させることを特徴とする請求項１乃至６のいずれか１項に記載のシート給送装置。
【請求項８】
前記積載部材が決定された前記補正量の分だけ上昇した後、前記給送手段は前記給送ローラによって前記最上位のシートを給送することを特徴とする請求項１乃至７のいずれか１項に記載のシート給送装置。
【請求項９】
前記制御手段は、決定した前記補正量に基づいて、前記積載部材に積載されたシート残量を決定することを特徴とする請求項１乃至８のいずれか１項に記載のシート給送装置。
【請求項１０】
前記シート残量は、前記積載部材に積載可能な最大のシート枚数に対する割合であることを特徴とする請求項９に記載のシート給送装置。
【請求項１１】
前記シート残量は、前記積載部材に積載されているシート枚数であることを特徴とする請求項９に記載のシート給送装置。
【請求項１２】
前記シート枚数は、シートの紙種に応じたシート枚数であることを特徴とする請求項１１に記載のシート給送装置。
【請求項１３】
シートが積載される積載部材を昇降させる昇降手段と、
前記昇降手段により上昇された前記積載部材に積載された最上位のシートが給送位置にあるかどうかを検知する第一の検知手段と、
給送ローラを前記最上位のシートに圧接させ、前記給送ローラにより前記最上位のシートを給送する給送手段と、
前記給送ローラが前記最上位のシートを給送可能な位置にあるかどうかを検知する第二の検知手段と、
前記昇降手段を制御する制御手段と、
を有し、
前記昇降手段が前記積載部材を上昇させ、前記第一の検知手段により前記最上位のシートが前記給送位置にあることが検知された後で、前記給送手段が前記給送ローラを前記最上位のシートに圧接させ、
前記第二の検知手段により前記給送ローラが前記最上位のシートを給送可能な位置にある状態からない状態へと変化したことが検知され、前記第一の検知手段により前記最上位のシートが前記給送位置にある状態からない状態へと変化したことが検知された場合、前記制御手段は、前記第二の検知手段の検知結果が変化したタイミングから前記第一の検知手段の検知結果が変化したタイミングまでの時間に基づいて補正量を決定し、決定した前記補正量の分だけ前記昇降手段を制御して、前記積載部材を上昇させることを特徴とする画像形成装置。
【請求項１４】
前記制御手段は、決定した前記補正量に基づいて、前記積載部材に積載されたシート残量を決定することを特徴とする請求項１３に記載の画像形成装置。
【請求項１５】
情報を報知する報知手段と、をさらに有し、
前記報知手段は、前記シート残量を報知することを特徴とする請求項１４に記載の画像形成装置。
【請求項１６】
シートの紙種を検知する第三の検知手段と、をさらに有し、
前記報知手段は、前記第三の検知手段が検知したシートの紙種に応じたシート枚数を報知することを特徴とする請求項１５に記載の画像形成装置。
【手続補正２】
【補正対象書類名】明細書
【補正対象項目名】０００７
【補正方法】変更
【補正の内容】
【０００７】
（１）シートが積載される積載部材を昇降させる昇降手段と、前記昇降手段により上昇された前記積載部材に積載された最上位のシートが給送位置にあるかどうかを検知する第一の検知手段と、給送ローラを前記最上位のシートに圧接させ、前記給送ローラにより前記最上位のシートを給送する給送手段と、前記給送ローラが前記最上位のシートを給送可能な位置にあるかどうかを検知する第二の検知手段と、前記昇降手段を制御する制御手段と、を有するシート給送装置において、前記昇降手段が前記積載部材を上昇させ、前記第一の検知手段により前記最上位のシートが前記給送位置にあることが検知された後で、前記給送手段が前記給送ローラを前記最上位のシートに圧接させ、前記第二の検知手段により前記給送ローラが前記最上位のシートを給送可能な位置にある状態からない状態へと変化したことが検知され、前記第一の検知手段により前記最上位のシートが前記給送位置にある状態からない状態へと変化したことが検知された場合、前記制御手段は、前記第二の検知手段の検知結果が変化したタイミングから前記第一の検知手段の検知結果が変化したタイミングまでの時間に基づいて補正量を決定し、決定した前記補正量の分だけ前記昇降手段を制御して、前記積載部材を上昇させることを特徴とするシート給送装置。
（２）シートが積載される積載部材を昇降させる昇降手段と、前記昇降手段により上昇された前記積載部材に積載された最上位のシートが給送位置にあるかどうかを検知する第一の検知手段と、給送ローラを前記最上位のシートに圧接させ、前記給送ローラにより前記最上位のシートを給送する給送手段と、前記給送ローラが前記最上位のシートを給送可能な位置にあるかどうかを検知する第二の検知手段と、前記昇降手段を制御する制御手段と、を有し、前記昇降手段が前記積載部材を上昇させ、前記第一の検知手段により前記最上位のシートが前記給送位置にあることが検知された後で、前記給送手段が前記給送ローラを前記最上位のシートに圧接させ、前記第二の検知手段により前記給送ローラが前記最上位のシートを給送可能な位置にある状態からない状態へと変化したことが検知され、前記第一の検知手段により前記最上位のシートが前記給送位置にある状態からない状態へと変化したことが検知された場合、前記制御手段は、前記第二の検知手段の検知結果が変化したタイミングから前記第一の検知手段の検知結果が変化したタイミングまでの時間に基づいて補正量を決定し、決定した前記補正量の分だけ前記昇降手段を制御して、前記積載部材を上昇させることを特徴とする画像形成装置。
【手続補正３】
【補正対象書類名】明細書
【補正対象項目名】０００８
【補正方法】削除
【補正の内容】